(57)【要約】【課題】取付時の美観および筐体の小型化を図ったガス漏れ警報器を提供する。【解決手段】ケース１０には、ガス漏れを検出する検出回路が収納されている。そして、ケース１０から引き出された電源コード１２の一端にコネクタ１３が設けられている。コネクタ１１に、コネクタ１３及び電源コード１５を介して電源プラグ１４を接続すれば、コンセントからの電源供給を受けることができるようになる。【選択図】      図１
2005049936.tif 000002
【特許請求の範囲】
【請求項１】
ガス漏れを検出するための検出回路と、
前記検出回路を収納する筐体と、
前記筐体から引き出された筐体側電源コードと、
前記筐体側電源コードの一端に設けられた筐体側コネクタとを備えたことを特徴とするガス漏れ警報器。
【請求項２】
請求項１記載のガス漏れ警報器であって、
前記筐体の前記筐体側電源コードが引き出されている一面には、前記筐体側電源コードの引き出し口から前記一面の端まで延在し、かつ、前記筐体側電源コードのみを収容するための収容溝が設けられていることを特徴とするガス漏れ警報器。
【請求項３】
ガス漏れを検出するための検出回路と、
前記検出回路を収容する筐体と、
前記筐体から引き出された筐体側電源コードと、
前記筐体側電源コードの一端に設けられた筐体側コネクタとを備え、
前記筐体の前記筐体側電源コードが引き出されている一面には、前記電源コードの引き出し口から前記一面の端まで延在し、かつ、前記筐体側コネクタに、プラグ側コネクタ及びプラグ側電源コードを介して電源プラグが接続されている状態で、前記筐体側電源コード、前記筐体側コネクタ、前記プラグ側コネクタ及び前記プラグ側電源コードを収容するための収容溝が設けられていることを特徴とするガス漏れ警報器。
【請求項４】
請求項２又は３記載のガス漏れ警報器であって、
前記収容溝は、複数に分岐して設けられていることを特徴とするガス漏れ警報器。
【発明の詳細な説明】
【０００１】
【発明の属する技術分野】
この発明は、ガス漏れ警報器に係わり、特に、電源コードを介して電源供給を受けているガス漏れ警報器に関する。
【０００２】
【従来の技術】
上述した従来のガス漏れ警報器は、図６に示すように、内部の基板１００には、ガス漏れを検出するためのガス漏れセンサ１０１や、ガス漏れ警報器の各種制御を行う制御回路１０２が搭載されている。さらに、この基板１００には、一端に電源プラグ１０３が設けられている電源コード１０４の他端が、直接半田付けされている。
【０００３】
上述した基板１００は、図７に示す、ケース１０５内に収納されている。また、電源コード１０４は、ケース１０５の一面から引き出されている。そして、ガス漏れ警報器は、電源コード１０４が引き出されていない面を取付面２００に向けて取り付けられると共に、電源プラグ１０３をコンセント３００に差し込むことにより、電源供給を受けている。
【０００４】
ところで、ガス漏れ警報器は、ガスセンサ１０１があるため、全ての電気部品の基板１００への半田付けを終了してから、警報する濃度の調整、検査を実施している。このため、調整、検査時点で、電源プラグ１０３付きの電源コード１０４が基板１００に接続されてしまい、出荷時や取付時に、その取付場所に合わせた長さの電源コード１０４に付け替えることができない。
【０００５】
このため、図７に示すように、ガス漏れ警報器の取付場所とコンセント３００との距離が、電源コード１０４の長さに比べて短いと、電源コード１０４を丸めて、束ねた状態で、ガス漏れ警報器を取付けなければならず、施工性や、美観を損ねるという問題があった。
【０００６】
そこで、図８に示すように、ケース１０５に、基板１００と電気接続されたコネクタ１０６を内蔵させるガス漏れ警報器が考えられている。以上のような構成によれば、一端に電源プラグ（図示せず）が設けられ、他端にコネクタ４００が設けられた電源コード４０１のコネクタ４００をケース１０５に設けた開口部からケース１０５内に挿入して、コネクタ１０６に接続すれば、コンセント３００からの電源供給を受けることができる。なお、１０７は、開口部を覆うカバーである。
【０００７】
従って、出荷時や取付時に、コネクタ１０６に接続する電源コード４０１を、その設置場所に合わせた長さのものに取り付けることができる。しかしながら、この場合、コネクタ１０６やコネクタ４００をケース１０５に内蔵する分、ケース１０５が大型化してしまうという問題があった。
【０００８】
そこで、図９に示すように、コネクタ１０６やコネクタ４００を内蔵した分、ケース１０５の小型化を図るため、電源プラグ４０２にアダプタを内蔵させることも考えられる。しかしながら、この場合、電源プラグ４０２が大きくなり、５年間通電し続けるには邪魔であり、美観も悪いという問題があった。
【０００９】
【発明が解決しようとする課題】
そこで、本発明は、上記のような問題点に着目し、取付時の美観および筐体の小型化を図ったガス漏れ警報器を提供することを課題とする。
【００１０】
【課題を解決するための手段】
上記課題を解決するためになされた請求項１記載の発明は、ガス漏れを検出するための検出回路と、前記検出回路を収納する筐体と、前記筐体から引き出された筐体側電源コードと、前記筐体側電源コードの一端に設けられた筐体側コネクタとを備えたことを特徴とするガス漏れ警報器に存する。
【００１１】
請求項１記載の発明によれば、筐体には、ガス漏れを検出する検出回路が収納されている。そして、筐体から引き出された筐体側電源コードの一端に筐体側コネクタが設けられている。以上の構成によれば、筐体側コネクタに、プラグ側コネクタ及びプラグ側電源コードを介して電源プラグを接続すれば、コンセントからの電源供給を受けることができるようになる。このため、出荷時や取付時に、筐体側コネクタに接続するプラグ側電源コードを、その設置場所に合わせた長さのものに取り付けることができる。しかも、筐体側コネクタが露出するようにガス漏れ警報器を取り付ければ、筐体に、筐体側コネクタを収容するスペースを設ける必要がない。
【００１２】
請求項２記載の発明は、請求項１記載のガス漏れ警報器であって、前記筐体の前記筐体側電源コードが引き出されている一面には、前記筐体側電源コードの引き出し口から前記一面の端まで延在し、かつ、前記筐体側電源コードのみを収容するための収容溝が設けられていることを特徴とするガス漏れ警報器に存する。
【００１３】
請求項２記載の発明によれば、筐体の筐体側電源コードが引き出されている一面には、筐体側電源コードの引き出し口から一面の端まで延在し、かつ、筐体側電源コードのみを収容するための収容溝が設けられている。従って、収容溝に筐体側電源コードを収容させれば、筐体側電源コードが引き出されている一面を平らにすることができる。
【００１４】
請求項３記載の発明は、ガス漏れを検出するための検出回路と、前記検出回路を収容する筐体と、前記筐体から引き出された筐体側電源コードと、前記筐体側電源コードの一端に設けられた筐体側コネクタとを備え、前記筐体の前記筐体側電源コードが引き出されている一面には、前記電源コードの引き出し口から前記一面の端まで延在し、かつ、前記筐体側コネクタに、プラグ側コネクタ及びプラグ側電源コードを介して電源プラグが接続されている状態で、前記筐体側電源コード、前記筐体側コネクタ、前記プラグ側コネクタ及び前記プラグ側電源コードを収容するための収容溝が設けられていることを特徴とするガス漏れ警報器に存する。
【００１５】
請求項３記載の発明によれば、筐体には、ガス漏れを検出する検出回路が収納されている。そして、筐体から引き出された筐体側電源コードの一端に筐体側コネクタが設けられている。また、筐体の筐体側電源コードが引き出されている一面には、電源コードの引き出し口から一面の端まで延在し、かつ、筐体側コネクタにプラグ側コネクタ及びプラグ側電源コードを介して電源プラグが接続されている状態で、筐体側電源コード、筐体側プラグ、プラグ側コネクタ及びプラグ側電源コードを収容するための収容溝が設けられている。
【００１６】
以上の構成によれば、筐体側コネクタに、プラグ側コネクタ及びプラグ側電源コードを介して電源プラグを接続すれば、コンセントからの電源供給を受けることができるようになる。このため、出荷時や取付時に、筐体側コネクタに接続するプラグ側電源コードを、その設置場所に合わせた長さのものに取り付けることができる。
【００１７】
しかも、筐体に設けた収納溝に、筐体側電源コード、筐体側コネクタ、プラグ側コネクタ及びプラグ側電源コードを全て収容して、筐体側電源コードが引き出されている一面を平らにした状態で、その一面を取付面に向けて取り付ければ、筐体側コネクタ−プラグ側コネクタ間の接続が露出しなくなる。このため、コネクタにロック構造や防水構造を設ける必要がなくなる。
【００１８】
請求項４記載の発明は、請求項２又は３記載のガス漏れ警報器であって、前記収容溝は、複数に分岐して設けられていることを特徴とするガス漏れ警報器に存する。
【００１９】
請求項４記載の発明によれば、収納溝が、複数に分岐して設けられている。従って、電源コードを複数方向に引き回すことができる。
【００２０】
【発明の実施の形態】
第１実施形態
以下、第１実施形態における本発明のガス漏れ警報器について、図面を参照して説明する。図１は、第１実施形態における、本発明のガス漏れ警報器を示す背面図である。同図に示すように、ガス漏れ警報器は、ガス漏れを検出するための検出回路（図示せず）を収容する箱型のケース１０（＝筐体）を備えている。このケース１０の正面（図示せず）には、ガス漏れが生じたときその旨を伝えるための表示器や、スピーカなどが設けられている（共に図示せず）。また、このケース１０の側面１０ａからは、一端にコネクタ１１（＝筐体側コネクタ）が設けられた電源コード１２（＝筐体側電源コード）が引き出されている。
【００２１】
上述したガス漏れ警報器は、ケース１０内部の基板に、コネクタ１１が設けられた電源コード１２の半田付けを終了してから、この電源コード１２のコネクタ１１に、一端に電源プラグ１４が設けられ、他端にコネクタ１３（＝プラグ側コネクタ）が設けられた電源コード１５（＝プラグ側電源コード）のコネクタ１３をコネクタ接続して、電源供給を得て、警報する濃度の調整、検査が実施される。
【００２２】
その後、出荷時や取付時に、電源コード１５を、取付場所の環境に合わせた長さのものに変えて、出荷、取付される。そして、このガス漏れ警報器は、背面１０ｂが取付壁に向けて取り付けられると共に、電源プラグ１４がコンセントに差し込まれ、電源供給を受ける。
【００２３】
従って、出荷時や取付時に、電源コード１５を、その取付場所の環境に合わせた長さのものすることができる。具体的には、取付場所とコンセントとの位置が遠ければ、電源コード１５を長いものにし、取付場所とコンセントとの位置が近ければ、電源コード１５を短いものにする。これにより、取付時の美観を向上することができる。
【００２４】
しかも、コネクタ１１が露出するようにガス漏れ警報器を取り付ければ、ケース１０に、コネクタ１１を収容するスペースを設ける必要がなくなり、ケース１０の小型化、即ちガス漏れ警報器の小型化を図ることができる。
【００２５】
第２実施形態
なお、上述した第１実施形態によれば、ケース１０の一面に電源コード１２が引き出されているため、この電源コード１２が引き出された面を壁などの取付面に向けて取付ることができなかった。このため、第１実施形態では、取付面に向ける必要のない側面１０ａから電源コード１２を引き出していた。
【００２６】
しかしながら、例えば、図２に示すように、背面１０ｂから電源コード１２を引き出さなければならない場合であっても、電源コード１２の引き出し口から、この背面１０ｂの端まで延在する収納溝１０ｃを設け、この収納溝１０ｃに電源コード１２のみを収納すれば、電源コード１２が引き出されても、引き出されている背面１０ｂが平らになり、取付面に向けてガス漏れ警報器を取り付けることができる。
【００２７】
また、図２に示すように、収納溝１０ｂは、上下左右方向に分岐している。これにより、電源コード１２を背面の上下左右方向に取り回しすることができる。このため、コンセント位置に向かう収納溝１０ｃに電源コード１２を収納すれば、より取付時の美観を向上させることができる。
【００２８】
なお、上述した第１及び第２実施形態のコネクタ１１は、露出しているため、台所の水滴などがコネクタ１１内部に侵入したり、また、コネクタ１１−コネクタ１３同士の接続がはずれやすい環境にある。このため、例えば、図３に示すように、コネクタ１１に、水が侵入しないような防水パッキン１１ａをそれぞれ設ける必要がある。また、コネクタ１１に、コネクタ１３の内周壁と係合する弾性爪１１ｂを設けて、コネクタ１１−コネクタ１３間の接続がロックできるようにする必要がある。
【００２９】
第３実施形態
次に、第３実施形態における本発明のガス漏れ警報器について、図４を参照して以下説明する。図４は、第３実施形態における、本発明のガス漏れ警報器を示す背面図である。同図に示すように、ガス漏れ警報器は、ガス漏れを検出するための検出回路（図示せず）を収容する箱型のケース１０を備えている。このケース１０の正面側（図示せず）には、ガス漏れが生じたときその旨を伝えるための表示器や、スピーカなどが設けられている（共に図示せず）。また、このケース１０の背面１０ｂからは、一端にコネクタ１１が設けられた電源コード１２が引き出されている。
【００３０】
また、ケース１０の背面１０ｂには、電源コード１２の引き出し口から、背面１０ｂの端まで延在する収納溝１０ｃが設けられている。この収納溝１０ｃには、図５に示すように、コネクタ１１に、コネクタ１３及び電源コード１５を介して電源プラグ１４を接続した状態で、電源コード１２、コネクタ１１、コネクタ１３及び電源コード１５を収納することができる。
【００３１】
上述したガス漏れ警報器は、ケース１０内部の基板に、コネクタ１１が設けられた電源コード１２の半田付けを終了してから、この電源コード１２のコネクタ１１に、一端に電源プラグ１４が設けられ、他端にコネクタ１３が設けられた電源コード１５のコネクタ１３をコネクタ接続して、電源供給を得て、警報する濃度の調整、検査が実施される。その後、出荷時や取付時に、一端にコネクタ１１、他端に電源プラグ１４を設けた電源コード１５を、取付場所の環境に合わせた長さのものに変えて、出荷、取付される。
【００３２】
そして、取付時に電源コード１２、コネクタ１１、コネクタ１３及び電源コード１５を、背面１０ｂに設けた収納溝１０ｃに収納して、背面１０ｂを平らにした状態で、その背面１０ｂを取付面に向けて取り付ける。そして、電源プラグ１４をコンセントに差し込んで、電源供給を受ける。
【００３３】
従って、この場合も、第１実施形態と同様に、出荷時や取付時に、電源コード１５を、その取付場所の環境に合わせた長さのものすることができ、取付時の美観を向上することができる。また、ケース１０に設けた収納溝１０ｃに、電源コード１２、コネクタ１１、コネクタ１３及び電源コード１５を全て収容して、電源コード１２が引き出されている背面１０ｂを平らにした状態で、その背面１０ｂを取付面に向けて取り付ければ、コネクタ１１−コネクタ１３間の接続が露出しなくなる。このため、コネクタ１１、１３にロック構造や防水構造を設ける必要がなくなるので、コネクタ１１、１３の小型化が図れ、その結果、ケース１０の小型化を図ることができる。
【００３４】
また、第３実施形態の収納溝１０ｃも、図２に示す収納溝１０ｃと同様に、上下左右方向に分岐している。これにより、電源コード１５を背面の上下左右方向に取り回しすることができる。このため、コンセント位置に向かう収納溝１０ｃに電源コード１２、コネクタ１１、１３及び電源コード１５を収納すれば、より取付時の美観を向上させることができる。
【００３５】
【発明の効果】
以上説明したように、請求項１記載の発明によれば、筐体側コネクタに、プラグ側コネクタ及びプラグ側電源コードを介して電源プラグを接続すれば、コンセントからの電源供給を受けることができるようになる。このため、出荷時や取付時に、筐体側コネクタに接続するプラグ側電源コードを、その設置場所に合わせた長さのものに取り付けることができるので、取付時の美観の向上を図ることができる。しかも、しかも、筐体側コネクタが露出するようにガス漏れ警報器を取り付ければ、筐体に、筐体側コネクタを収容するスペースを設ける必要がないので、筐体の小型化を図ったガス漏れ警報器を得ることができる。
【００３６】
請求項２記載の発明によれば、収容溝に筐体側電源コードを収容させれば、筐体側電源コードが引き出されている一面を平らにすることができるので、筐体側コードが引き出されている一面を取付面に向けて取り付けることができるガス漏れ警報器を得ることができる。
【００３７】
請求項３記載の発明によれば、筐体側コネクタに、プラグ側コネクタ及びプラグ側電源コードを介して電源プラグを接続すれば、コンセントからの電源供給を受けることができるようになる。このため、出荷時や取付時に、筐体側コネクタに接続するプラグ側電源コードを、その設置場所に合わせた長さのものに取り付けることができるので、取付時の美観の向上を図ることができる。しかも、筐体に設けた収納溝に、筐体側電源コード、筐体側コネクタ、プラグ側コネクタ及びプラグ側電源コードを全て収容して、筐体側電源コードが引き出されている一面を平らにした状態で、その一面を取付面に向けて取り付ければ、筐体側コネクタ−プラグ側コネクタ間の接続が露出しなくなる。このため、コネクタにロック構造や防水構造を設ける必要がなくなるので、筐体側コネクタ、プラグ側コネクタの小型化が図れ、その結果、筐体の小型化を図ることができるガス漏れ警報器を得ることができる。
【００３８】
請求項４記載の発明によれば、電源コードを複数方向に引き回すことができるガス漏れ警報器を得ることができる。
【図面の簡単な説明】
【図１】第１実施形態における、本発明のガス漏れ警報器を示す背面図である。
【図２】第２実施形態における、本発明のガス漏れ警報器を示す背面図である。
【図３】図１及び図２に示すコネクタ１１及びコネクタ１３の拡大図である。
【図４】第３実施形態における、本発明のガス漏れ警報器を示す背面図である。
【図５】図４に示すガス漏れ警報器において、電源コード１２、コネクタ１１及び１３、電源コード１５を収納溝１０ｃに収納したときの背面図である。
【図６】従来のガス漏れ警報器の一例を示す図である。
【図７】従来のガス漏れ警報器の取付例を示す図である。
【図８】従来のガス漏れ警報器の一例を示す図である。
【図９】従来のガス漏れ警報器の一例を示す図である。
【符号の説明】
１０    ケース（筐体）
１０ｃ  収納溝
１１    コネクタ（筐体側コネクタ）
１２    電源コード（筐体側電源コード）
１３    コネクタ（プラグ側コネクタ）
１４    電源プラグ
１５    電源コード（プラグ側電源コード）
【図１】
2005049936.tif 000003
【図２】
2005049936.tif 000004
【図３】
2005049936.tif 000005
【図４】
2005049936.tif 000006
【図５】
2005049936.tif 000007
【図６】
2005049936.tif 000008
【図７】
2005049936.tif 000009
【図８】
2005049936.tif 000010
【図９】
2005049936.tif 000011